【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
少なくとも多価金属を含む反応液と、少なくともアニオン性高分子分散剤によって顔料が分散された顔料分散体を含む水性インクを用いて画像を形成するシステムで用いられる水性インクにおいて、以下の条件を満たすことを特徴とする水性インク。
（条件）
反応液の８００倍希釈水溶液５０ｇと、前記水性インクの５倍希釈水溶液０．３ｇとを混合し、１５分後に０．２μｍのフィルターでろ過した後の可視領域の最大吸収波長（顔料としてカーボンブラックを用いる場合は、波長５５０ｎｍ）での吸光度を（Ａ）、前記水性インクの５倍希釈水溶液０．３ｇと純水５０ｇとの混合液の可視領域の最大吸収波長での吸光度を（Ｂ）とした際に、（Ａ）と（Ｂ）が以下の関係を満たす。
０．３＜（Ａ）／（Ｂ）＜０．８５
【請求項２】
前記アニオン性高分子分散剤が、水性インクと多価金属との反応を制御する成分を有する請求項１に記載の水性インク。
【請求項３】
前記多価金属との反応を制御する成分が、ノニオン性置換基である請求項２に記載の水性インク。
【請求項４】
前記アニオン性高分子分散剤が、少なくとも式（１）の単量体を構成ユニットとする高分子化合物であって、前記構成ユニットの割合が該高分子化合物の全質量に対して５質量％〜５０質量％である請求項１〜３の何れか１項に記載の水性インク。
式（１）：ＣＨ2＝Ｃ（Ｒ1）ＣＯＯＲ2
（式（１）中、Ｒ1は水素原子又はメチル基を、Ｒ2は−（ＣＨ2ＣＨ2Ｏ）ｎ−Ｒ3（ｎは１〜３０の整数）、Ｒ3は水素原子又はメチル基を表す。）
【請求項５】
前記アニオン性高分子分散剤が、式（２）の単量体及び式（３）の単量体から選択された少なくとも１種を構成ユニットとして含む高分子化合物である請求項１〜４の何れか１項に記載の水性インク。
式（２）：ＣＨ2＝Ｃ（Ｒ4）−Ｒ5
（式（２）中、Ｒ4は水素原子又はメチル基を、Ｒ5はフェニル基又はナフチル基を表す。）
式（３）：ＣＨ2＝Ｃ（Ｒ6）ＣＯＯＲ7
（式（３）中、Ｒ6は水素原子又はメチル基を、Ｒ7は炭素数６以上１８以下の直鎖、分岐、若しくは脂環式のアルキル基又はアルケニル基、あるいはベンジル基を表す。）
【請求項６】
前記アニオン性高分子分散剤が、式（２）の単量体及び式（３）の単量体から選択された少なくとも１種を構成ユニットとして含む高分子化合物であって、前記構成ユニットの割合が該高分子化合物の全質量に対して２０質量％〜８０質量％である請求項１〜５の何れか１項に記載の水性インク。
【請求項７】
前記顔料分散体が、顔料１００質量部に対して、アニオン性高分子分散剤２０質量部〜２００質量部で分散されたものである請求項１〜６の何れか１項に記載の水性インク。
【請求項８】
前記アニオン性高分子分散剤が、少なくとも２種類のアニオン性高分子化合物（以下、高分子化合物（Ｉ）及び高分子化合物（ＩＩ）とする）を含む請求項１に記載の水性インク。
【請求項９】
前記高分子化合物（Ｉ）が、式（４）の単量体及び式（５）の単量体から選択された少なくとも１種を構成ユニットとして含む高分子化合物であって、前記構成ユニットの割合が該高分子化合物（Ｉ）の全質量に対して５０質量％〜８０質量％である請求項８に記載の水性インク。
式（４）：ＣＨ2＝Ｃ（Ｒ8）−Ｒ9
（式（４）中、Ｒ8は水素原子又はメチル基を、Ｒ9はフェニル基又はナフチル基を表す。）
式（５）：ＣＨ2＝Ｃ（Ｒ10）ＣＯＯＲ11
（式（５）中、Ｒ10は水素原子又はメチル基を、Ｒ11は炭素数４以上１８以下の直鎖、分岐、若しくは脂環式のアルキル基又はアルケニル基、あるいはベンジル基を表す。）
【請求項１０】
前記高分子化合物（Ｉ）が、スチレンを構成単位として含む高分子化合物である請求項８に記載の水性インク。
【請求項１１】
前記高分子化合物（ＩＩ）が、少なくとも式（６）の単量体を構成ユニットとして含む高分子化合物であって、前記構成ユニットの割合が該高分子化合物（ＩＩ）の全質量に対して２０質量％〜８０質量％である請求項８〜１０の何れか１項に記載の水性インク。
式（６）：ＣＨ2＝Ｃ（Ｒ12）ＣＯＯＲ13
（式（６）中、Ｒ12は水素原子又はメチル基を、Ｒ13は炭素数４未満の直鎖又は分岐のアルキル基を表す。）
【請求項１２】
前記高分子化合物（ＩＩ）が、ノニオン性置換基を有する単量体を構成ユニットとして含む高分子化合物である請求項８〜１０何れか１項に記載の水性インク。
【請求項１３】
前記高分子化合物（ＩＩ）が、式（７）の単量体を構成ユニットとして含む高分子化合物であって、前記構成ユニットの割合が該高分子化合物（ＩＩ）の全質量に対して５質量％〜５０質量％である請求項１２に記載の水性インク。
式（７）：ＣＨ2＝Ｃ（Ｒ14）ＣＯＯＲ15
（式（７）中、Ｒ14は水素原子又はメチル基を、Ｒ15は−（ＣＨ2ＣＨ2Ｏ）ｎ−Ｒ16（ｎは１〜３０の整数）、Ｒ16は水素原子又はメチル基を表す。）
【請求項１４】
前記高分子化合物（Ｉ）及び前記高分子化合物（ＩＩ）の合計質量が、顔料１００質量部に対して、２０質量部〜２００質量部である請求項８〜１３の何れか１項に記載の水性インク。
【請求項１５】
前記高分子化合物（ＩＩ）に対する前記高分子化合物（Ｉ）の割合が、高分子化合物（Ｉ）１００質量部に対して、１０質量部〜３００質量部である請求項８〜１４の何れか１項に記載の水性インク。
【請求項１６】
反応液と水性インクのセットであって、前記反応液が少なくとも多価金属を含み、前記水性インクが請求項１〜１５の何れか１項に記載の水性インクであることを特徴とする反応液と水性インクのセット。
【請求項１７】
記録媒体に画像を形成する画像形成方法において、請求項１６に記載の反応液と水性インクのセットを用い、且つ、前記反応液を記録媒体に塗布する際の塗布量が、０．５ｇ／ｍ2以上５ｇ／ｍ2以下であることを特徴とする画像形成方法。
【請求項１８】
記録媒体に画像を形成する画像形成方法において、
（ｉ）少なくとも多価金属を含む反応液と、少なくともアニオン性高分子分散剤によって顔料が分散された顔料分散体を含む水性インクのセットを構成する水性インクをインクジェット記録方法で前記記録媒体に付与する工程；及び
（ｉｉ）少なくとも多価金属を含む反応液と、少なくともアニオン性高分子分散剤によって顔料が分散された顔料分散体を含む水性インクのセットを構成する反応液を前記記録媒体に付与する工程、
とを有し、
前記水性インクが請求項１〜１５の何れか１項に記載の水性インクであり、
前記工程（ｉｉ）において前記反応液の記録媒体に対する定着が終了した後に前記工程（ｉ）を行うことを特徴とする画像形成方法。
【手続補正２】
【補正対象書類名】明細書
【補正対象項目名】００１２
【補正方法】変更
【補正の内容】
【００１２】
（条件）
反応液の８００倍希釈水溶液５０ｇと、前記水性インクの５倍希釈水溶液０．３ｇとを混合し、１５分後に０．２μｍのフィルターでろ過した後の可視領域の最大吸収波長（顔料としてカーボンブラックを用いる場合は、波長５５０ｎｍ）での吸光度を（Ａ）、前記水性インクの５倍希釈水溶液０．３ｇと５０ｇの純水との混合液の可視領域の最大吸収波長での吸光度を（Ｂ）とした際に、（Ａ）と（Ｂ）が以下の関係を満たす。
０．３＜（Ａ）／（Ｂ）＜０．８５
又、本発明の水性インクの別の実施態様は、上記構成において、水性インク中に含まれるアニオン性高分子分散剤が、水性インクと多価金属との反応を制御する成分を有することを特徴とする。又特に、前記多価金属との反応を制御する成分がノニオン性置換基であることを特徴とする。より具体的には、前記アニオン性高分子分散剤が、前記ノニオン性置換基として、少なくとも式（１）の単量体を構成ユニットに含む高分子化合物であって、前記構成ユニットの割合が高分子化合物の全質量に対して５質量％〜５０質量％であることを特徴とする。
式（１）：ＣＨ2＝Ｃ（Ｒ1）ＣＯＯＲ2
（式（１）中、Ｒ1は水素原子又はメチル基を、Ｒ2は−（ＣＨ2ＣＨ2Ｏ）ｎ−Ｒ3（ｎは１〜３０の整数）、Ｒ3は水素原子又はメチル基を表す。）
又、本発明の水性インクの別の実施態様は、上記構成において、アニオン性高分子分散剤が、式（２）の単量体及び式（３）の単量体から選択された少なくとも１種を構成ユニットとして含む高分子化合物であることを特徴とする。
式（２）：ＣＨ2＝Ｃ（Ｒ4）−Ｒ5
（式（２）中、Ｒ4は水素原子又はメチル基を、Ｒ5はフェニル基又はナフチル基を表す。）
式（３）：ＣＨ2＝Ｃ（Ｒ6）ＣＯＯＲ7
（式（３）中、Ｒ6は水素原子又はメチル基を、Ｒ7は炭素数６以上１８以下の直鎖、分岐、若しくは脂環式のアルキル基又はアルケニル基、あるいはベンジル基を表す。）
更に、上記構成において、前記アニオン性高分子分散剤が、式（２）の単量体及び式（３）の単量体から選択された少なくとも１種を構成ユニットとして含む高分子化合物であって、前記構成ユニットの割合が該高分子化合物の全質量に対して２０質量％〜８０質量％であることが好ましい。又、顔料分散体が、顔料１００質量部に対して、アニオン性高分子分散剤２０質量部から２００質量部の範囲で分散されたものであることが好ましい。
【手続補正３】
【補正対象書類名】明細書
【補正対象項目名】００１３
【補正方法】変更
【補正の内容】
【００１３】
更に、本発明の水性インクの別の実施態様は、アニオン性高分子分散剤として少なくとも２種のアニオン性高分子化合物（高分子化合物（Ｉ）、高分子化合物（ＩＩ）と以下称する）を用いる場合は、高分子化合物（Ｉ）が、式（４）の単量体及び式（５）の単量体から選択された少なくとも１種を構成ユニットとして含む高分子化合物であって、前記構成ユニットの割合が該高分子化合物（Ｉ）の全質量に対して５０質量％〜８０質量％であることを特徴とする。
式（４）：ＣＨ2＝Ｃ（Ｒ8）−Ｒ9
（式（４）中、Ｒ8は水素原子又はメチル基を、Ｒ9はフェニル基又はナフチル基を表す。）
式（５）：ＣＨ2＝Ｃ（Ｒ10）ＣＯＯＲ11
（式（５）中、Ｒ10は水素原子又はメチル基を、Ｒ11は炭素数４以上１８以下の直鎖、分岐、若しくは脂環式のアルキル基又はアルケニル基、あるいはベンジル基を表す。）
更に、前記高分子化合物（Ｉ）が、スチレンを構成単位とする高分子化合物であることが好ましい。
【手続補正４】
【補正対象書類名】明細書
【補正対象項目名】００１４
【補正方法】変更
【補正の内容】
【００１４】
一方、高分子化合物（ＩＩ）が、少なくとも式（６）に示す単量体を構成ユニットとする高分子化合物であって、前記構成ユニットの割合が高分子化合物（ＩＩ）の全質量に対して２０質量％〜８０質量％であることを特徴とする。
式（６）：ＣＨ2＝Ｃ（Ｒ12）ＣＯＯＲ13
（式（６）中、Ｒ12は水素原子又はメチル基を、Ｒ13は炭素数４未満の直鎖又は分岐のアルキル基を表す。）
更に、本発明の水性インクの別の実施態様は、高分子化合物（ＩＩ）がノニオン性置換基を有する単量体を構成ユニットとして含む高分子化合物、より具体的には式（７）に示す単量体を構成ユニットとして含む高分子化合物であって、前記構成ユニットの割合が該高分子化合物（ＩＩ）の全質量に対して５質量％〜５０質量％であることを特徴とする。
式（７）：ＣＨ2＝Ｃ（Ｒ14）ＣＯＯＲ15
（式（７）中、Ｒ14は水素原子又はメチル基を、Ｒ15は−（ＣＨ2ＣＨ2Ｏ）ｎ−Ｒ16（ｎは１〜３０の整数）、Ｒ16は水素原子又はメチル基を表す。）
又、高分子化合物（Ｉ）と高分子化合物（ＩＩ）の合計質量が、顔料１００質量部に対して、２０質量部〜２００質量部であり、高分子化合物（ＩＩ）に対する高分子化合物（Ｉ）の割合が、高分子化合物（Ｉ）１００質量部に対して、１０質量部〜３００質量部であることが好ましい。
【手続補正５】
【補正対象書類名】明細書
【補正対象項目名】００１７
【補正方法】変更
【補正の内容】
【００１７】
更に、本発明の画像形成方法の別の実施態様は、記録媒体に画像を形成する画像形成方法において、
（ｉ）少なくとも多価金属を含む反応液と、少なくともアニオン性高分子分散剤によって顔料が分散された顔料分散体を含む水性インクのセットを構成する水性インクをインクジェット記録方法で前記記録媒体に付与する工程；及び
（ｉｉ）少なくとも多価金属を含む反応液と、少なくともアニオン性高分子分散剤によって顔料が分散された顔料分散体を含む水性インクのセットを構成する反応液を前記記録媒体に付与する工程、とを有し、
前記水性インクが、上記の構成の水性インクであり、
前記工程（ｉｉ）において前記反応液の記録媒体に対する定着が終了した後に前記工程（ｉ）を行うことを特徴とする。